(57)【特許請求の範囲】
【請求項１】
周波数信号によって駆動されるブザーの音圧レベルを設定する音圧レベル設定装置において、
複数パターンの周波数信号の中から任意のパターンの周波数信号を出力して前記ブザーを駆動する通信回路と、
前記ブザーの音圧を測定する音圧測定マイクと、
前記音圧測定マイクの測定結果に基づき、前記ブザーの音圧レベルが最適値であるものと判断するまで、前記通信回路を制御して前記複数の周波数信号によって前記ブザーを駆動する音圧判断手段とを備えたことを特徴とする音圧レベル設定装置。
【請求項２】
デューティ比信号によって駆動されるブザーの音圧レベルを設定する音圧レベル設定装置において、
複数パターンのデューティ比信号の中から任意のパターンのデューティ比信号を出力して前記ブザーを駆動する通信回路と、
前記ブザーの音圧を測定する音圧測定マイクと、
前記音圧測定マイクの測定結果に基づき、前記ブザーの音圧レベルが最適値であるものと判断するまで、前記通信回路を制御して前記複数のデューティ比信号によって前記ブザーを駆動する音圧判断手段とを備えたことを特徴とする音圧レベル設定装置。
【請求項３】
周波数信号およびデューティ比信号の組合せによって駆動されるブザーの音圧レベルを設定する音圧レベル設定装置において、
周波数信号およびデューティ比信号を組み合わせた複数パターンの合成信号の中から任意のパターンのデューティ比信号を出力して前記ブザーを駆動する通信回路と、
前記ブザーの音圧を測定する音圧測定マイクと、
前記音圧測定マイクの測定結果に基づき、前記ブザーの音圧レベルが最適値であるものと判断するまで、前記通信回路を制御して前記複数の合成信号によって前記ブザーを駆動する音圧判断手段とを備えたことを特徴とする音圧レベル設定装置。
【請求項４】
請求項１記載の最適値の音圧レベルの周波数信号を記憶する記憶手段を備えたブザー駆動装置であって、前記記憶手段に記憶された周波数信号に基づいて前記ブザーを駆動することを特徴とするブザー駆動装置。
【請求項５】
請求項２記載の最適値の音圧レベルのデューティ比信号を記憶する記憶手段を備えたブザー駆動装置であって、前記記憶手段に記憶されたデューティ比信号に基づいて前記ブザーを駆動することを特徴とするブザー駆動装置。
【請求項６】
請求項３記載の最適値の音圧レベルの合成信号を記憶する記憶手段を備えたブザー駆動装置であって、前記記憶手段に記憶された合成信号に基づいて前記ブザーを駆動することを特徴とするブザー駆動装置。
【発明の詳細な説明】
【０００１】
【発明の属する技術分野】
本発明は、音圧レベル設定装置およびブザー駆動装置に関し、詳しくは、車両のドアの閉め忘れ、キーの抜き忘れあるいは、ライトの消し忘れを警報音で知らせる音圧レベル設定装置およびブザー駆動装置に関する。
【０００２】
【従来の技術】
一般に、車両のドアの閉め忘れ、キーの抜き忘れあるいは、ライトの消し忘れをブザーを吹鳴させることによって運転手に知らせるようになっており、このブザーは駆動装置によって駆動されるようになっている。
【０００３】
従来のこの種の駆動装置としては、例えば、図13に示すようなものが知られている。図13（ａ）において、21はＩＣ回路、22はトランジスタ、23はブザー、24は音圧調整抵抗、25はトランジスタのベース保護抵抗、26はＩＣ回路21のオフ時のトランジスタ22のレベル固定用抵抗、27はバッテリーである。
【０００４】
ブザー23の内部には公知のようにコイルが設けられており、トランジスタ22を一定の周波数信号でオン／オフすることによってコイルに電流が流れるようになっており、コイルに電流が流れると、コイルの中心に設けられた鉄芯が磁化され、その上部にある共鳴板が一定周波数で吸引・開放を繰返すことにより、吹鳴するようになっている。
【０００５】
ブザー23はこのような構成であるため、その構造上音圧にバラツキが多く、また、ブザー23が組込まれた製品の組立てバラツキも音圧の影響を受け易い。図14に示すようにブザーＡにおいては、周波数ｆ0で音圧ＰAと音圧規格範囲内の間であるので調整は不要であるが、ブザーＢにおいては、周波数ｆ0で音圧ＰBと音圧規格範囲を逸脱しているので、音圧調整抵抗24の定数を変えることによってブザー23に供給される電流を可変し、音圧ＰB´を発生させるようにする。すなわち、図13（ｂ）に示すようにブザー23に印加される電圧信号の周期Ｔ0（＝１／ｆ0）を変えずに振幅ａを変えることによって、結果的に共鳴板の吸引力を変えることで音圧の調整を行なうようになっている（このような従来例として特開平１０―２１４０９０号公報参照）。
【０００６】
【発明が解決しようとする課題】
しかしながら、このような従来の駆動装置にあっては、ブザー23の初期状態で音圧を測定した後、音圧が規格に適合しない場合に音圧調整抵抗24を可変して再度音圧を測定し、音圧が規格に適合しない場合に再度音圧調整抵抗24を可変して再度音圧を測定するという手作業を音圧が規格に適合するまで繰り返し持続しなければならないため、ブザー23の音圧を調整する作業に膨大な時間を要してしまい、駆動装置の品質が低くなってしまうとともに、生産性が低下して製造コストが増大してしまうという問題があった。
【０００７】
そこで本発明は、ブザーの音圧を調整する作業を自動的に効率良く行なうことができるようにして、品質の向上を図ることができるとともに生産性を向上させて製造コストが増大するのを防止することができる音圧レベル設定装置およびブザー駆動装置を提供することを目的としている。
【０００８】
【課題を解決するための手段】
第１の発明は、上記課題を解決するために、周波数信号によって駆動されるブザーの音圧レベルを設定する音圧レベル設定装置において、複数パターンの周波数信号の中から任意のパターンの周波数信号を出力して前記ブザーを駆動する通信回路と、前記ブザーの音圧を測定する音圧測定マイクと、前記音圧測定マイクの測定結果に基づき、前記ブザーの音圧レベルが最適値であるものと判断するまで、前記通信回路を制御して前記複数の周波数信号によって前記ブザーを駆動する音圧判断手段とを備えたことを特徴としている。
【０００９】
その場合、第１パターンの周波数でブザーを駆動してその音圧レベルを測定手段で測定し、ブザーの音圧レベルが最適値でない場合に、第２パターンの周波数でブザーを駆動してその音圧レベルを測定手段で測定し、ブザーの音圧レベルが最適値でない場合に、第ｎパターンの周波数で音圧レベルが最適値と判断されるまで測定を継続し、ブザーの音圧レベルが最適値になった場合に、その周波数を設定してブザーを駆動する。
【００１０】
この結果、従来のように音圧調整抵抗を調整するのを不要にしてブザーの音圧を調整する作業を自動的に効率良く行なうことができ、品質の向上を図ることができるとともに生産性を向上させて製造コストが増大するのを防止することができる。
【００１１】
また、ブザーの音圧レベルの規格変更があった場合には上述した作業を再び行なうことにより、規格変更に簡単に対応することができる。
【００１２】
第２の発明は、上記課題を解決するために、デューティ比信号によって駆動されるブザーの音圧レベルを設定する音圧レベル設定装置において、複数パターンのデューティ比信号の中から任意のパターンのデューティ比信号を出力して前記ブザーを駆動する通信回路と、前記ブザーの音圧を測定する音圧測定マイクと、前記音圧測定マイクの測定結果に基づき、前記ブザーの音圧レベルが最適値であるものと判断するまで、前記通信回路を制御して前記複数のデューティ比信号によって前記ブザーを駆動する音圧判断手段とを備えたことを特徴としている。
【００１３】
その場合、第１パターンのデューティ比信号でブザーを駆動してその音圧レベルを測定手段で測定し、ブザーの音圧レベルが最適値でない場合に、第２パターンのデューティ比信号でブザーを駆動してその音圧レベルを測定手段で測定し、ブザーの音圧レベルが最適値でない場合に、第ｎパターンのデューティ比信号で音圧レベルが最適値と判断されるまで測定を継続し、ブザーの音圧レベルが最適値になった場合に、そのデューティ比信号を設定してブザーを駆動する。
【００１４】
この結果、従来のように音圧調整抵抗を調整するのを不要にしてブザーの音圧を調整する作業を自動的に効率良く行なうことができ、品質の向上を図ることができるとともに生産性を向上させて製造コストが増大するのを防止することができる。
【００１５】
また、ブザーの音圧レベルの規格変更があった場合には上述した作業を再び行なうことにより、規格変更に簡単に対応することができる。
【００１６】
第３の発明は、上記課題を解決するために、周波数信号およびデューティ比信号の組合せによって駆動されるブザーの音圧レベルを設定する音圧レベル設定装置において、周波数信号およびデューティ比信号を組み合わせた複数パターンの合成信号の中から任意のパターンのデューティ比信号を出力して前記ブザーを駆動する通信回路と、前記ブザーの音圧を測定する音圧測定マイクと、前記音圧測定マイクの測定結果に基づき、前記ブザーの音圧レベルが最適値であるものと判断するまで、前記通信回路を制御して前記複数の合成信号によって前記ブザーを駆動する音圧判断手段とを備えたことを特徴としている。
【００１７】
その場合、第１パターンの合成信号でブザーを駆動してその音圧レベルを測定手段で測定し、ブザーの音圧レベルが最適値でない場合に、第２パターンの合成信号でブザーを駆動してその音圧レベルを測定手段で測定し、ブザーの音圧レベルが最適値でない場合に、第ｎパターンの合成信号で音圧レベルが最適値と判断されるまで測定を継続し、ブザーの音圧レベルが最適値になった場合に、その合成信号を設定してブザーを駆動する。
【００１８】
この結果、従来のように音圧調整抵抗を調整するのを不要にしてブザーの音圧を調整する作業を自動的に効率良く行なうことができ、品質の向上を図ることができるとともに生産性を向上させて製造コストが増大するのを防止することができる。
【００１９】
また、ブザーの音圧レベルの規格変更があった場合には上述した作業を再び行なうことにより、規格変更に簡単に対応することができる。
【００２０】
第４の発明は、上記課題を解決するために、第１の発明の最適値の音圧レベルの周波数信号を記憶する記憶手段を備えたブザー駆動装置であって、前記記憶手段に記憶された周波数信号に基づいて前記ブザーを駆動することを特徴としている。
【００２１】
第５の発明は、上記課題を解決するために、第２の発明の最適値の音圧レベルのデューティ比信号を記憶する記憶手段を備えたブザー駆動装置であって、前記記憶手段に記憶されたデューティ比信号に基づいて前記ブザーを駆動することを特徴としている。
【００２２】
第６の発明は、上記課題を解決するために、第３の発明の最適値の音圧レベルの合成信号を記憶する記憶手段を備えたブザー駆動装置であって、前記記憶手段に記憶された合成信号に基づいて前記ブザーを駆動することを特徴としている。
【００２３】
第４〜６の発明では、最適な音圧レベルでブザーを吹鳴することができる。
【００２４】
【発明の実施の形態】
以下、本発明の実施形態を図面に基づいて説明する。
【００２５】
図１〜４は本発明に係る音圧レベル設定装置およびブザー駆動装置の第１実施形態を示す図である。
【００２６】
まず、構成を説明する。図１において、１はブザーを含んだブザー装置であり、このブザー装置１は不揮発メモリ（記憶手段）２およびスイッチ素子としてのトランジスタ（図示略）を備えている。また、符号３は検査器制御部であり、この検査器制御部３は通信回路４および音圧判断手段５を有しており、パソコン６に組み込まれたプログラムによって操作されるようになっている。
【００２７】
通信回路４は、ブザー装置１と通信することにより、指定の周波数でブザーを鳴らすものである。図２はブザーを駆動する電圧波形の例を示し、図２では３つのみ図示しており、ａ0は振幅を示し、Ｔ0、Ｔ1、Ｔ2は周期を示す。
【００２８】
この周波数で駆動されたブザーの音圧レベルは音圧計測マイク（測定手段）７によって測定されるようになっており、このマイク７によって測定された結果はＡ／Ｄ変換されて音圧判断手段５に出力されるようになっている。音圧判断手段５はこの入力信号に基づき、ブザーの音圧レベルが最適値であるか否かを判断し、最適値にない場合には、通信回路４から再度ブザー装置１と通信して異なる周波数でブザーを鳴らし、ブザーの音圧レベルが最適値になるまでこの制御を繰返すようになっている。最適値が得られると通信回路４はブザー装置１と通信して、ブザー装置１は不揮発メモリ２に音圧レベルが最適値となった周波数信号を記憶するようになっている。
【００２９】
次に、図３のフローチャートおよび図４の音圧−周波数特性図に基づいて作用を説明する。なお、図３のフローチャートは検査器制御部３に設けられた図示しないＲＯＭに格納された制御プログラムであり、この制御プログラムは検査器制御部３によって実行されるものである。
【００３０】
まず、通信回路４からｆ0の周波数信号でブザーを駆動するようにブザー装置１と通信する（ステップＳ1）。その指示を受けたブザー装置１が指定のｆ0でブザーを駆動する（ステップＳ2）。具体的には、ブザーの内部には公知のようにコイルが設けられており、ブザー装置１に設けられたトランジスタを一定の周波数信号でオン／オフすることによってコイルに電流が流れ、コイルに電流が流れると、コイルの中心に設けられた鉄芯が磁化され、その上部にある共鳴板が一定周波数で吸引・開放を繰返すことにより、吹鳴するようになっている。
【００３１】
そして、このブザーの音圧をマイク７によって測定し（ステップＳ3）、音圧判断手段５によって音圧レベルが最適か否かを判別する（ステップＳ4）。
【００３２】
図４はブザーにおける周波数と音圧の関係を示す図であり、この図から周波数を変えると音圧が変わることが分かる。
【００３３】
ここで、ｆ0の周波数では音圧規格範囲になかった場合、次の候補の選択を行ない（ステップＳ5）、最終候補のチェックを終えたか否かのチェック（ステップＳ6）を行なう。最終候補のチェックを終えたにもかかわらず音圧規格を満足しなかったものは製品不良として、パソコン画面上に警告表示を行なう（ステップＳ7）。最終候補のチェックを終えていなければ、次の候補のｆ1を通信回路４からブザー装置１に指示し、同様にしてブザーを駆動し、マイク７によってブザーの音圧レベルを測定し、音圧判断手段５によって音圧レベルが最適か否かを判別する（ステップＳ3、Ｓ4）。
【００３４】
このとき、音圧判断手段５でｆ1の周波数では音圧規格範囲にあるものと判別した場合、パソコン画面上に規格を満足する旨の製品良品表示を行なうとともに（ステップＳ8）、この周波数ｆ1を採用し、この周波数信号を不揮発性メモリ２に格納して（ステップＳ9）、今回の処理を終了し、音圧判断手段５でｆ1の周波数が音圧規格範囲にない場合には同様の手順でｆ2〜ｆnで試験を行ない、音圧規格範囲にある周波数信号を不揮発性メモリ２に格納する。
【００３５】
以上の結果、本実施形態では、ブザーの音圧を調整する作業を自動的に効率良く行なうことができ、品質の向上を図ることができるとともに生産性を向上させて製造コストが増大するのを防止することができる。
【００３６】
また、ブザーの音圧レベルの規格変更があった場合には上述した作業を再び行なうことにより、規格変更に簡単に対応することができる。
【００３７】
またブザー装置１に最適値の音圧レベルを保持する不揮発メモリ２を設けたため、音圧レベルの最適値を保持しておくことができ、その音圧レベルでブザーを吹鳴することができる。
【００３８】
図５〜８は本発明に係る音圧レベル設定装置およびブザー駆動装置の第２実施形態を示す図である。なお、本実施形態では、通信回路の構成が第１実施形態と異なり、その他の構成は第１実施形態と同様であるため、第１実施形態と同様の構成には同一番号を付して説明を省略する。
【００３９】
図５において、通信回路４は、ブザー装置１と通信することにより、指定のデューティ比の信号でブザーを鳴らすものである。図６はブザーを駆動する電圧波形の例を示し、図６では３つのみ図示しており、ａ0は振幅を示し、Ｔ0は周期を示し、τ0、τ1、τ2はパルス幅を示す。
【００４０】
次に、図７のフローチャートおよび図８の音圧−デューティ比特性図に基づいて説明する。なお、図７のフローチャートは検査器制御部３に設けられた図示しないＲＯＭに格納された制御プログラムであり、この制御プログラムは検査器制御部３によって実行されるものである。
【００４１】
まず、通信回路４からＤ0のデューティ比でブザーを駆動するようにブザー装置１と通信する（ステップＳ11）。その指示を受けたブザー装置１が指定のＤ0でブザーを駆動する（ステップＳ12）。
【００４２】
そして、このブザーの音圧をマイク７によって測定し（ステップＳ13）、音圧判断手段５によって音圧レベルが最適か否かを判別する（ステップＳ14）。
【００４３】
図８はブザーにおけるデューティ比と音圧の関係を示す図であり、この図からデューティ比を変えると音圧が変わることが分かる。
【００４４】
ここで、Ｄ0のデューティ比では音圧規格範囲になかった場合、次の候補の選択を行ない（ステップＳ15）、最終候補のチェックを終えたか否かのチェック（ステップＳ16）を行なう。最終候補のチェックを終えたにもかかわらず音圧規格を満足しなかったものは製品不良として、パソコン画面上に警告表示を行なう（ステップＳ17）。最終候補のチェックを終えていなければ、次の候補のデューティ比を通信回路４からブザー装置１に指示し、同様にしてブザーを駆動し、マイク７によってブザーの音圧レベルを測定し、音圧判断手段５によって音圧レベルが最適か否かを判別する（ステップＳ13、Ｓ14）。
【００４５】
このとき、音圧判断手段５でＤ1のデューティ比では音圧規格範囲にあるものと判別した場合、パソコン画面上に規格を満足する旨の製品良品表示を行なうとともに（ステップＳ18）、このデューティ比Ｄ1を採用し、このデューティ比を不揮発性メモリ２に格納して（ステップＳ19）、今回の処理を終了し、音圧判断手段５でＤ1のデューティ比が音圧規格範囲にない場合には同様の手順でＤ2〜Ｄnで試験を行ない、音圧規格範囲にあるデューティ比を不揮発性メモリ２に格納する。
【００４６】
以上の結果、本実施形態では、ブザーの音圧を調整する作業を自動的に効率良く行なうことができ、品質の向上を図ることができるとともに生産性を向上させて製造コストが増大するのを防止することができる。
【００４７】
また、ブザーの音圧レベルの規格変更があった場合には上述した作業を再び行なうことにより、規格変更に簡単に対応することができる。
【００４８】
図９〜12は本発明に係る音圧レベル設定装置およびブザー駆動装置の第３実施形態を示す図である。なお、本実施形態では、周波数発生手段の構成が第１実施形態と異なり、その他の構成は第１実施形態と同様であるため、第１実施形態と同様の構成には同一番号を付して説明を省略する。
【００４９】
図９において、通信回路４は、ブザー装置１と通信することにより、指定のデューティ比と周波数信号の合成信号でブザーを鳴らすものである。図９はブザーを駆動する電圧波形の例を示し、図９では３つのみ図示しており、ａ0は振幅を示し、Ｔ0、Ｔ1、Ｔ2は周期を示し、τ0、τ1、τ2はパルス幅を示す。
【００５０】
次に、図11のフローチャートおよび図12の音圧−合成信号特性図に基づいて説明する。なお、図11のフローチャートは検査器制御部３に設けられた図示しないＲＯＭに格納された制御プログラムであり、この制御プログラムは検査器制御部３によって実行されるものである。
【００５１】
まず、通信回路４からＤ0のデューティ比とＤ0の周波数の合成信号でブザーを駆動するようにブザー装置１と通信する（ステップＳ21）。その指示を受けたブザー装置１が指定のＤ0、ｆ0の合成信号でブザーを駆動する（ステップＳ22）。
【００５２】
そして、このブザーの音圧をマイク７によって測定し（ステップＳ23）、音圧判断手段５によって音圧レベルが最適か否かを判別する（ステップＳ24）。
【００５３】
図12はブザーにおける合成信号と音圧の関係を示す図であり、この図から合成信号を変えると音圧は変わることが分かる。
【００５４】
ここで、Ｄ0、ｆ0の合成信号では音圧規格範囲になかった場合、次の候補の選択を行ない（ステップＳ25）、最終候補のチェックを終えたか否かのチェック（ステップＳ26）を行なう。最終候補のチェックを終えたにもかかわらず音圧規格を満足しなかったものは製品不良として、パソコン画面上に警告表示を行なう（ステップＳ27）。最終候補のチェックを終えていなければ、次の候補の合成信号を通信回路４からブザー装置１に指示し、同様にしてブザーを駆動し、マイク７によってブザーの音圧レベルを測定し、音圧判断手段５によって音圧レベルが最適か否かを判別する（ステップＳ23、Ｓ24）。
【００５５】
このとき、音圧判断手段５でＤ1、ｆ1の合成信号では音圧規格範囲にあるものと判別した場合、パソコン画面上に規格を満足する旨の製品良品表示を行なうとともに（ステップＳ28）、このＤ1、ｆ1の合成信号を採用し、この合成信号を不揮発性メモリ２に格納して（ステップＳ29）、今回の処理を終了し、音圧判断手段５でＤ1、ｆ1の合成信号が音圧規格範囲にない場合には同様の手順でＤ2、ｆ2〜Ｄn、ｆnの合成信号で試験を行ない、音圧規格範囲にある合成信号を不揮発性メモリ２に格納する。
【００５６】
以上の結果、本実施形態では、ブザーの音圧を調整する作業を自動的に効率良く行なうことができ、品質の向上を図ることができるとともに生産性を向上させて製造コストが増大するのを防止することができる。
【００５７】
また、ブザーの音圧レベルの規格変更があった場合には上述した作業を再び行なうことにより、規格変更に簡単に対応することができる。
【００５８】
【発明の効果】
本発明によれば、従来のように音圧調整抵抗を調整するのを不要にしてブザーの音圧を調整する作業を自動的に効率良く行なうことができ、品質の向上を図ることができるとともに生産性を向上させて製造コストが増大するのを防止することができる。
【００５９】
また、ブザーの音圧レベルの規格変更があった場合には上述した作業を再び行なうことにより、規格変更に簡単に対応することができる。
【００６０】
また、最適値の音圧レベルを保持する記憶手段を備えているため、音圧レベルの最適値を保持しておくことができ、その音圧レベルでブザー装置を吹鳴することができる。
【図面の簡単な説明】
【図１】  本発明に係る音圧レベル設定装置およびブザー駆動装置の第１実施形態を示す図であり、そのブロック図である。
【図２】  第１実施形態の周波数のパターンを示す図である。
【図３】  第１実施形態のブザーの音圧の測定手順を示すフローチャートである。
【図４】  第１実施形態の音圧−周波数特性図である。
【図５】  本発明に係る音圧レベル設定装置およびブザー駆動装置の第２実施形態を示す図であり、そのブロック図である。
【図６】  第２実施形態のデューティ比のパターンを示す図である。
【図７】  第２実施形態のブザーの音圧の測定手順を示すフローチャートである。
【図８】  第２実施形態の音圧−デューティ比特性図である。
【図９】  本発明に係る音圧レベル設定装置およびブザー駆動装置の第３実施形態を示す図であり、そのブロック図である。
【図10】  第３実施形態の合成信号のパターンを示す図である。
【図11】  第３実施形態のブザーの音圧の測定手順を示すフローチャートである。
【図12】  第１実施形態の音圧−合成信号特性図である。
【図13】  従来のブザー駆動装置を示す図である。
【符号の説明】
１    ブザー装置
２    不揮発メモリ（記憶手段）
３    検査器制御部
４    通信回路
５    音圧判断手段
７    音圧計測マイク
【図１】
0003654188.tif 000002
【図２】
0003654188.tif 000003
【図３】
0003654188.tif 000004
【図４】
0003654188.tif 000005
【図５】
0003654188.tif 000006
【図６】
0003654188.tif 000007
【図７】
0003654188.tif 000008
【図８】
0003654188.tif 000009
【図９】
0003654188.tif 000010
【図１０】
0003654188.tif 000011
【図１１】
0003654188.tif 000012
【図１２】
0003654188.tif 000013
【図１３】
0003654188.tif 000014